(57)【要約】      （修正有）【課題】同じ構造の２台のカメラモジュールを用いて、可視光での撮影と、不可視光での撮影とをおこなわせるカメラ付き電子機器を得る。【解決手段】可視光での撮影をするためのカメラモジュール６と、不可視光での撮影をするためのカメラモジュール７をケースに組み込む。可視光での撮影と、不可視光での撮影とをおこなわせる２台のカメラモジュール６及び７として同じ構造のカメラモジュールをそれぞれ用いる。ケースの投光部分には、可視光での撮影をするためのカメラモジュール６の前に可視光線透過部分９を設ける。不可視光での撮影をするためのカメラモジュール７の前に不可視光線透過部分１０を設ける。【選択図】図２
2008219832.tif 000002
【特許請求の範囲】
【請求項１】
可視光での撮影をするためのカメラモジュールと、不可視光での撮影をするためのカメラモジュールとの少なくとも２台のカメラモジュールがケースに組み込まれているカメラ付き電子機器であって、
前記少なくとも２台の前記カメラモジュールとして同じ構造のカメラモジュールがそれぞれ用いられ、
前記ケースの投光部分には、前記可視光での撮影するためのカメラモジュールの前に可視光線透過部分が設けられ、前記不可視光での撮影をするためのカメラモジュールの前に不可視光線透過部分が設けられていることを特徴とするカメラ付き電子機器。
【請求項２】
前記不可視光線透過部分には、赤外光を透過させる可視光カットフィルタが配置されていることを特徴とする請求項１に記載のカメラ付き電子機器。
【発明の詳細な説明】
【技術分野】
【０００１】
本発明は、例えばカメラ付き携帯電話機の如きカメラ付き電子機器に関するものである。
【背景技術】
【０００２】
近年のカメラ付き電子機器の一種であるカメラ付き携帯電話機は、高機能化・新サービスの提供により、個人情報保護機能の重要度が増している。
【０００３】
登録されたメールアドレス・電話番号等の情報資産に加え、個人認証のための情報や決済に関係する情報等、保護対象とすべき情報は今後ますます増えることが予想できる。
【０００４】
上記の背景から、カメラ付き携帯電話機におけるセキュリテイ強化を予想して、カメラ付き携帯電話機で電話をかけている人の顔認証をすることが提案されている。
【０００５】
図４に示すように、人の顔認証できる従来のカメラ付き携帯電話機のカメラモジュール１００は、レンズを内蔵したレンズモジュール１０１と、このレンズモジュール１０１の外側に設ける中間パーツ１０２と、レンズモジュール１０１が取り付けられた中間パーツ１０２が取り付けられる台座１０３とからなっていた。
【０００６】
レンズモジュール１０１は、円筒形状をなし、内部にレンズＬ１及びレンズＬ２が内蔵されている。また、レンズモジュール１０１の円筒外面には、ねじ１０４が設けられている。
【０００７】
中間パーツ１０２は、リング状のパーツであり、円筒内面にはレンズモジュール１０１と螺合するねじ１０５が設けられている。このねじ１０５とレンズモジュール１０１のねじ１０４とが螺合することで中間パーツ１０２にレンズモジュール１０１が取り付けられている。更に、中間パーツ１０２の円筒外面にも、ねじ１０６が設けられている。
【０００８】
台座１０３は、中央に中間パーツ１０２のねじ１０６と螺合可能なねじ１０７が設けられた円筒空間が設けられ、円筒空間の底面には受光ユニット１０８が固定されている。そして、台座１０３のねじ１０７に中間パーツ１０２のねじ１０６が螺合されてレンズモジュール１０１が取り付けられた中間パーツ１０２が台座１０３に取り付けられている。
【０００９】
カメラモジュール１００は、製造過程で台座１０３と中間パーツ１０２とが螺合しているねじ１０６及びねじ１０７によって中間パーツ１０２の取り付け位置を調整して受光ユニット１０８にレンズモジュール１０１からの像が結像できるようピント調整をして出荷される。
【００１０】
このカメラモジュール１００では、目的とする撮影光を透過して撮影可能とし他の波長光を遮断するために、受光ユニット１０８の表面に撮影光の波長のみからなる可視光を透過可能なバンドパスフィルタ、または可視光をカットし赤外光または紫外を透過させる可視光カットフィルタからなるフィルタ１０９を設け、所望波長の撮影光のみを受光ユニット１０８が受光可能にしていた。即ち、従来のカメラ付き携帯電話機では、可視光を透過可能なバンドパスフィルタからなるフィルタ１０９を組み込んだカメラモジュール１００と、可視光をカットし赤外光または紫外からなる不可視光を透過させる可視光カットフィルタからなるフィルタ１０９を組み込んだカメラモジュール１００とを組み込んでいた。
【発明の開示】
【発明が解決しようとする課題】
【００１１】
しかしながら、このような従来のカメラ付き携帯電話機では、カメラモジュール１００内にフィルタ１０９を組み込んでいる構造なので、異なるフィルタ１０９を組み込んだ２台のカメラモジュール１００が必要になり、当該カメラモジュール１００がどのフィルタ１０９を組み込んだものなのか大変紛らわしい問題点があった。構造の異なる２台のカメラモジュール１００が必要になるため、コスト高になる問題点があった。
【００１２】
本発明の目的は、同じ構造の２台のカメラモジュールを用いて、可視光での撮影と、不可視光での撮影とができるカメラ付き電子機器を提供することにある。
【課題を解決するための手段】
【００１３】
上記の目的を達成する本発明の構成を説明すると、下記のとおりである。
【００１４】
請求項１に記載の発明は、可視光での撮影をするためのカメラモジュールと、不可視光での撮影をするためのカメラモジュールとの少なくとも２台のカメラモジュールがケースに組み込まれているカメラ付き電子機器であって、
前記少なくとも２台の前記カメラモジュールとして同じ構造のカメラモジュールがそれぞれ用いられ、
前記ケースの投光部分には、前記可視光での撮影するためのカメラモジュールの前に可視光線透過部分が設けられ、前記不可視光での撮影をするためのカメラモジュールの前に不可視光線透過部分が設けられていることを特徴とする。
【００１５】
請求項２に記載の発明は、請求項１において、前記不可視光線透過部分には、赤外光を透過させる可視光カットフィルタが配置されていることを特徴とする。
【発明の効果】
【００１６】
本発明に係るカメラ付き電子機器では、可視光での撮影をするためのカメラモジュールと、不可視光での撮影をするためのカメラモジュールとの少なくとも２台のカメラモジュールとして同じ構造のカメラモジュールをそれぞれ用い、ケースの投光部分には、可視光での撮影できるカメラモジュールの前に可視光線透過部分を設け、不可視光での撮影ができるカメラモジュールの前に不可視光線透過部分を設けているので、同じ構造のカメラモジュールを用いて、可視光での撮影と、不可視光での撮影とができる。
【００１７】
また、同じ構造のカメラモジュールを用いるので、紛らわしくなく、組立が容易であり、低コストで可視光での撮影と、不可視光での撮影とができるカメラ付き電子機器を得ることができる。
【００１８】
不可視光線透過部分に、赤外光を透過させる可視光カットフィルタを用いると、赤外光で撮影された画像を得ることができる。
【発明を実施するための最良の形態】
【００１９】
図１乃至図３は本発明に係るカメラ付き電子機器の一例としてのカメラ付き携帯電話機を実施するための最良の形態を示したもので、図１は本例のカメラ付き携帯電話機の平面図、図２は図１中のＡ−Ａ線断面図、図３は図２のケース部分の拡大図である。
【００２０】
本例のカメラ付き携帯電話機では、ケース１は不透明の下部ケース部２の上に透明の上部ケース部３が被さり、凹部４ａと凸部４ｂとの嵌り合いによる結合部４で結合されている。上部ケース部３の中央には、表示部５が設けられている。
【００２１】
ケース１の長手方向の一端側には、可視光での撮影をするためのカメラモジュール６と、不可視光での撮影をするためのカメラモジュール７が組み込まれている。カメラモジュール６及び７は、回路基板８の上に取り付けられ、電気的に接続されている。これら可視光での撮影と、不可視光での撮影とができる２台のカメラモジュール６及び７としては、同じ構造のカメラモジュールがそれぞれ用いられている。ケース１の上部ケース部３における投光部分には、可視光での撮影をするためのカメラモジュール６の前に可視光線透過部分９が設けられ、不可視光での撮影をするためのカメラモジュール７の前に不可視光線透過部分１０が設けられている。これら可視光線透過部分９と不可視光線透過部分１０は、透明の上部ケース部３の下面に不投光フィルム１１が貼り付け等により一体に設けられ、可視光線透過部分９には可視光線を透過させるために孔１２が設けられ、不可視光線透過部分１０には不可視光線を透過させるために孔１３が設けられ、この孔１３には可視光線の透過をカットして赤外線の透過を行わせるための赤外線透過フィルタからなる可視光カットフィルタ１４が取り付けられている。不可視光での撮影ができるカメラモジュール７に隣接して赤外光発光素子１５が設けられている。
【００２２】
カメラモジュール６及び７の間には、マイクロフォンが配置され、このマイクロフォンに対応して上部ケース部３には音声透過部１６が設けられている。
【００２３】
このようなカメラ付き携帯電話機では、可視光での撮影をするためのカメラモジュール６と、不可視光での撮影をするためのカメラモジュール７として同じ構造のカメラモジュールをそれぞれ用い、ケース１の投光部分には、可視光での撮影をするためのカメラモジュール６の前に可視光線透過部分９を設け、不可視光での撮影をするためのカメラモジュール７の前に不可視光線透過部分１０を設けているので、同じ構造のカメラモジュールを用いて、可視光での撮影と、不可視光での撮影とおこなわせることができる。また、同じ構造のカメラモジュール６及び７を用いるので、紛らわしくなく、組立が容易であり、低コストで可視光での撮影と、不可視光での撮影とができるカメラ付き電子機器を得ることができる。
【００２４】
不可視光線透過部分１０に、赤外光を透過させる可視光カットフィルタ１４を用いているので、赤外光で撮影された画像を得ることができる。
【００２５】
上記例では、赤外光を透過させる可視光カットフィルタ１４を用いたが、紫外光を透過させる可視光カットフィルタ１４を用いて紫外光で撮影を行うこともできる。
【００２６】
上記例では、カメラ付き電子機器としてカメラ付き携帯電話機を用いた例について示したが、本発明はこれに限定されるものではなく、その他のカメラ付き電子機器にも適用することができる。
【００２７】
また上記例では、２台のカメラモジュールを用いる例について示したが、３台以上のカメラモジュールを用いる例にも同様に適用することができる。
【図面の簡単な説明】
【００２８】
【図１】本実施例のカメラ付き携帯電話機の平面図である。
【図２】図１中のＡ−Ａ線断面図である。
【図３】図２のケース部分の拡大図である。
【図４】従来のカメラモジュールの断面図である。
【符号の説明】
【００２９】
１  ケース
２  不透明の下部ケース部
３  透明の上部ケース部
４  結合部
４ａ  凹部
４ｂ  凸部
５  表示部
６，７  カメラモジュール
８  回路基板
９  可視光線透過部分
１０  不可視光線透過部分
１１  不投光フィルム
１２  孔
１３  孔
１４  可視光カットフィルタ
１５  赤外光発光素子
１６  音声透過部
【図１】
2008219832.tif 000003
【図２】
2008219832.tif 000004
【図３】
2008219832.tif 000005
【図４】
2008219832.tif 000006